(57)【要約】【課題】  暗いところでプレゼントする場合に宝石、時計などの宝飾品が見映えし、ＢＧＭ、プレゼントのメッセージが再生演出できるＬＥＤ照明付き宝飾箱を得る。【解決手段】  宝飾箱の内部に白色ＬＥＤ照明を基準にした照明装置または宝飾品の色に合わせた発光色のＬＥＤ、電池、発光制御回路と蓋の開閉に連動し開けたときにオンするスイッチを備え、ＢＧＭ、音声などを収録するｍｉｎｉＳＤなどの記録媒体、再生用スピーカ、オルゴールを備えている。  携帯電話もしくは録音再生機にこのｍｉｎｉＳＤを差し込んで再生したい着メロなどとプレゼントメッセージを録音する。録音されたｍｉｎｉＳＤを宝飾箱に差し込んで電源スイッチを入れ、プレゼントの相手に手渡し宝飾箱を開けてもらうと中の宝石、時計などがＬＥＤで照明され、着メロなどのＢＧＭとともにプレゼントメッセージが再生演出できる。【選択図】図１
2008279227.tif 000002
【特許請求の範囲】
【請求項１】
宝飾箱の内部にＬＥＤ白色照明を設け若しくは宝飾品の色に合わせた発光色のＬＥＤ、電池、発光制御回路と蓋の開閉に連動し、開けたときにオンするスイッチを備え、ＢＧＭ、メッセージなどを記録するｍｉｎｉＳＤなどの記録媒体を接続するコネクタ、記録媒体に記録されたＢＧＭ、メッセージなどを再生する音楽再生機を備えたことを特徴とするＬＥＤ照明付き宝飾箱。
【請求項２】
主の照明をＬＥＤ白色照明とし、若しくは宝飾品の色に合わせた発光色のＬＥＤとして、副の照明を宝飾品の色からわずかに短波長または長波長の発光色としたことを特徴とする請求項１又は２に記載のＬＥＤ照明付き宝飾箱。
【請求項３】
箱を上下２分割し下の箱本体の上面をハーフミラーで構成しハーフミラーの下部にＬＥＤを備えることを特徴とする請求項１乃至２に記載のＬＥＤ照明付き宝飾箱。
【請求項４】
ＬＥＤに乳白色板を被せて照明することを特徴とする請求項１乃至３に記載のＬＥＤ照明付き宝飾箱。
【請求項５】
宝石支持台であるアクリル成形物にカービング加工を施し、ＬＥＤにより照明する効果を得ることを特徴とする請求項１乃至４に記載のＬＥＤ照明付き宝飾箱。
【請求項６】
箱の蓋又は箱の底部にフレキシブルチューブを設け、このフレキシブルチューブの先端にＬＥＤを設けることにより自由に照明角度及び高さを調整するようにしたことを特徴とする請求項１乃至５に記載のＬＥＤ照明付き宝飾箱。
【請求項７】
ＬＥＤの発光強度の強弱、発光色を音楽の強弱リズム、周波数の高低に対応させるようにしたことを特徴とする請求項１乃至６に記載のＬＥＤ照明付き宝飾箱。
【請求項８】
有機ＥＬ照明手段を備えたことを特徴とする請求項１乃至７に記載のＬＥＤ照明付き宝飾箱。
【発明の詳細な説明】
【技術分野】
【０００１】  本発明は、暗いところでプレゼントする場合に宝石、時計などが照明により見映えがし、ＢＧＭ、プレゼントのメッセージが演出できるＬＥＤ照明付き宝飾箱に関するものである。
【背景技術】
【０００２】  従来の宝石箱はオルゴール等を備えた物がある。
【発明の開示】
【発明が解決しようとする課題】
【０００３】  従来の宝飾箱に宝石などを入れてプレゼントする場合には暗いところでは宝石などの輝きは見えにくく、カードなどでメッセージを掲示することはできるが音楽やメッセージなどを効果的に演出できなかった。【０００４】  本発明は上述のような課題に鑑みてなされたものであり、これらの問題を解決し、宝飾箱に宝石などを入れてプレゼントする場合に、薄暗い室内照明や暗い屋外であっても宝石、時計などの宝飾品が箱内部に備えた独自の照明で輝いて見え、ＢＧＭ、プレゼントのメッセージが効果的に演出できるＬＥＤ照明付き宝飾箱を得ることを目的とする。
【課題を解決するための手段】
【０００５】  請求項１によるＬＥＤ照明付き宝飾箱は、宝飾箱の内部にＬＥＤ白色照明若しくは宝飾品の色に合わせた発光色のＬＥＤ、電池、発光制御回路と蓋の開閉に連動し、開けたときにオンするスイッチを備え、ＢＧＭ、メッセージなどを記録するｍｉｎｉＳＤなどの記録媒体を接続するコネクタ、記録媒体に記録されたＢＧＭ、メッセージなどを再生する音楽再生機を備える。
請求項２によるＬＥＤ照明付き宝飾箱は、主の照明をＬＥＤ白色照明若しくは宝飾品の色に合わせた発光色のＬＥＤとして、副の照明を宝飾品の色からわずかに短波長または長波長の発光色とする。
請求項３によるＬＥＤ照明付き宝飾箱は、箱を上下２分割し下の箱本体の上面をハーフミラーで構成しハーフミラーの下部にＬＥＤを備える。
請求項４によるＬＥＤ照明付き宝飾箱は、ＬＥＤに乳白色板を被せて照明する。
請求項５によるＬＥＤ照明付き宝飾箱は、カービング加工を施したアクリル造形物をＬＥＤにより照明する。
請求項６によるＬＥＤ照明付き宝飾箱は、箱の蓋又は箱の底部にフレキシブルチューブを設けこのフレキシブルチューブの先端にＬＥＤを設けることで自由に照明角度、高さを調整する。
請求項７によるＬＥＤ照明付き宝飾箱は、ＬＥＤの発光輝度の強弱、発光色を音楽の強弱リズム、周波数の高低に対応させる。
請求項８によるＬＥＤ照明付き宝飾箱は、有機ＥＬ照明手段を備える。
【発明の効果】
【０００６】  宝飾箱の内部にＬＥＤ白色照明若しくは宝飾品の色に合わせた発光色のＬＥＤ、電池、発光制御回路と蓋の開閉に連動し開けたときにオンするスイッチを備え、ＢＧＭ、音声を収録するｍｉｎｉＳＤなどの記録媒体、再生用スピーカ、オルゴールを備え、携帯電話若しくは録音装置にｍｉｎｉＳＤを差し込んで再生したい着メロやプレゼントメッセージを録音する。
録音されたｍｉｎｉＳＤを宝飾箱に差し込んで電源スイッチを入れ、プレゼントの相手に手渡し宝飾箱を開けてもらうと中の宝石、時計などがＬＥＤで照明されると同時に着メロなどのＢＧＭとともにプレゼントメッセージが再生演出できる。
カービング加工を施したアクリル造形物をＬＥＤにより照明することで、アクリル造形物からの間接光でより多数の角度から宝飾品を照明できる。
フレキシブルチューブの先端にＬＥＤを設けることで自由に照明角度や高さを調整できる。
ＬＥＤに乳白色板を被せ、又は有機ＥＬ照明手段により真珠などを広角度から光沢感を出して照明できる。
【発明を実施するための最良の形態】
【０００７】［実施の形態の構成］
図１は、本発明の実施の形態のＬＥＤ照明付き宝飾箱の外観図である。図において１０は宝飾箱下部筐体、２０は宝飾箱上部筐体、３０は宝飾箱下部筐体１０と宝飾箱上部筐体２０を軽い圧力で閉じて埃が入らないようにし宝飾箱の全開解放時６０度〜９０度に保持するバネヒンジである。
宝飾箱下部筐体１０には内部中央に宝飾品固定具１１と外部側面には音楽再生機の記録媒体挿入口が開口する。音楽再生機はアルカリ乾電池等の一次電池又はニッケル水素電池等の二次電池の共用の電池ケースを備え必要に応じてどちらかを使用する。
電池ケースからはヒンジ部に備えたスイッチにより蓋部分を全開した解放時に接点が入り宝飾箱上部筐体２０内部に備えたＬＥＤに通電する。内部に接続コネクタを備え、宝飾箱下部筐体１０の内部中央に宝飾品固定具１１に備えた指輪１２を照明する。ヒンジ部に備えたスイッチは録音再生機の再生スイッチを兼ね備えており、予めＭｉｎｉＳＤ（登録商標）、ＭｉｃｒｏＳＤ（登録商標）等の記録媒体に「今まで楽しい日をありがとう・・・今日は誕生日おめでとう」等のプレゼントにふさわしいメッセージを携帯電話又は録音機能付きの音楽再生機で音楽などの効果音と共に収録し、音楽再生機の記録媒体挿入口に差し込んでおく。
これを相手にプレゼントした際に、宝飾箱を相手に開けてもらうと宝飾箱が６０度〜９０度に開放保持され、同時に指輪がＬＥＤでライトアップされる。また録音機能を備えた場合は「今まで楽しい日をありがとう・・・今日は誕生日おめでとう」等のメッセージが音楽などの効果音と共に再生され現場のムードを高めプレゼントの相対効果を高めることができる。
記録媒体は録音機以外に携帯電話を利用することを特徴としている。携帯電話は遠距離からでも送信することができ、固有のメッセージなどをオリジナルで編集することによりプレゼント効果も上がることからプレゼント市場を拡大することにつながるものである。本記録媒体への記録方式は宝飾箱にマイクを備え、本体に録音装置を備えたものでも良い。【０００８】  図２は、本発明の実施の形態のＬＥＤ照明付き宝飾箱回路構成のブロック図である。音楽再生機はＭｉｎｉＳＤ（登録商標）、ＭｉｃｒｏＳＤ（登録商標）等の記録媒体のソケットと再生のためのスピーカと電源として一次電池、二次電池使用可能な電池ケースを備える。電池ケースの電極から音楽再生機と必要数のＬＥＤが並列に接続されそれぞれ電流制限用の抵抗が接続され、これらが直列に接続された常閉のスイッチにより開閉される。このスイッチは宝飾箱の上部筐体が閉じたときにスイッチが押されて開いており、上部筐体が開けられた場合には閉じられてＬＥＤに電流が流れる。同時に音楽再生機に電流が流れる回路構成とする。
音楽再生機は予め録音されたＭｉｎｉＳＤ（登録商標）、ＭｉｃｒｏＳＤ（登録商標）等の記録媒体を差し込んで再生の待機状態としておき、電源オンと同時に音楽とメッセージを再生開始する。スイッチはマイクロスイッチが長寿命で信頼性が高く望ましい。【０００９】  図３は、本発明の実施の形態のＬＥＤ照明付き宝飾箱の外観図である。図において１０は宝飾箱下部筐体、２０は宝飾箱上部筐体、３０は宝飾箱下部筐体１０と宝飾箱上部筐体２０を軽い圧力で閉じて埃が入らないようにし宝飾箱の全開解放時６０度〜９０度程度に保持するバネヒンジである。
宝飾箱下部筐体１０には内部中央に宝飾品固定具１１と外部側面には音楽再生機の記録媒体挿入口が開口する。音楽再生機はアルカリ乾電池等の一次電池又はニッケル水素電池等の二次電池の共用の電池ケースを備え必要に応じてどちらかを使用する。
電池ケースからはヒンジ部に備えたスイッチにより全開解放時に接点が閉じると宝飾箱上部筐体２０内部に備えたＬＥＤに通電し内部に接続コネクタを備え、宝飾箱下部筐体１０の内部中央に宝飾品固定具１１に備えた指輪１２を照明する。ヒンジ部に備えたスイッチは音楽再生機の再生スイッチを兼ね備えており、予めＭｉｎｉＳＤ等の記録媒体に「今まで楽しい日をありがとう。今日は誕生日おめでとう」等のメッセージを携帯電話又は録音機能付きの音楽再生機で音楽などの効果音と共に収録しておき、音楽再生機の記録媒体挿入口に差し込んでおく。
これをプレゼントする相手に差し出し、「今開けてみて」と促し、宝飾箱を開けてもらうと宝飾箱が６０度〜９０度に開放保持され、同時に指輪がＬＥＤでライトアップされる。また録音機能を装置した場合は「今まで楽しい日をありがとう。今日は誕生日おめでとう」等のメッセージが音楽などの効果音と共に再生されプレゼント効果を高める。【００１０】  図４は、本発明の実施の形態のＬＥＤ照明付き宝飾箱の回路の一例を示す回路図である。音楽録音再生機はＭｉｎｉＳＤ（登録商標）、ＭｉｃｒｏＳＤ（登録商標）等の記録媒体のソケットと音楽録音再生機自身で録音のためのマイクロフォンと再生のためのスピーカと電源として一次電池、二次電池使用可能な電池ケースを備える。
電池ケースの電極から音楽録音再生機と必要数のＬＥＤが並列に接続され、それぞれ電流制限用の抵抗が接続されこれらが直列に接続された常閉のスイッチにより開閉される。このスイッチは宝飾箱の上部筐体が閉じたときにスイッチが押されて開いており、開けられた場合には閉じられＬＥＤと音楽録音再生機に電流が流れる。ＭｉｎｉＳＤ（登録商標）、ＭｉｃｒｏＳＤ（登録商標）等の記録媒体に予めメッセージとそれにふさわしい音楽などを携帯電話若しくは音楽録音再生機などで収録しておく。別の方法として音楽などは携帯電話の機能のダウンロード機能を使い、メッセージは録音機能を使うことで記録媒体に記録できるのでいずれかの方法によりあるいは組み合わせて記録する。これら一連の記録作業を操作ボタンが少なく操作の簡単な音楽録音再生機自身にこの機能を備えておくと簡単に音楽録音再生機だけで機械になれない老人でもまごつかずに作業ができる。
音楽録音再生機は予め録音されたＭｉｎｉＳＤ（登録商標）、ＭｉｃｒｏＳＤ（登録商標）等の記録媒体が差し込まれて再生の待機状態としておく。すると電源オンと同時に音楽とメッセージを再生開始する。ＬＥＤは宝飾箱内部を照らす。宝飾箱は長期にわたり使われることもあるので、スイッチにマイクロスイッチを使うと長寿命にでき信頼性が高く望ましい。【００１１】  図７は、本発明の実施の形態のＬＥＤ照明付き宝飾箱の外観図である。図において１０は宝飾箱下部筐体、２０は宝飾箱上部筐体、３０は宝飾箱下部筐体１０と宝飾箱上部筐体２０を軽い圧力で閉じて埃が入らないようにし宝飾箱の全開解放時６０度〜９０度に保持するバネヒンジである。宝飾箱下部筐体１０には内部中央に宝飾品固定具１１と外部側面には音楽再生機の記録媒体挿入口が開口する。
音楽再生機はアルカリ乾電池等の一次電池又はニッケル水素電池等の二次電池の共用の電池ケースを備え必要に応じてどちらかを使用する。電池ケースからはヒンジ部に備えたスイッチにより全開解放時に接点が閉じると宝飾箱上部筐体２０内部に備えたＬＥＤに通電し、内部に接続コネクタを備えることにより宝飾箱下部筐体１０の内部中央に宝飾品固定具１１に備えた指輪１２を照明する。
ヒンジ部に備えたスイッチは音楽再生機の再生スイッチを兼ねており、予めＭｉｎｉＳＤ等の記録媒体に「今まで楽しい日をありがとう。今日は誕生日おめでとう」等のメッセージを携帯電話又は録音機能付きの音楽再生機で音楽などの効果音と共に収録しておき、音楽再生機の記録媒体挿入口に差し込んでおく。これをプレゼントの相手に差し出し、「今開けてみて」と促し、宝飾箱を相手に開けてもらうと宝飾箱が６０度〜９０度に開放保持され、同時に指輪がＬＥＤでライトアップされ、「今まで楽しい日をありがとう。今日は誕生日おめでとう」等のメッセージが音楽などの効果音と共に再生されムードを高める。【００１２】  図５は、本発明の実施の形態のＬＥＤ照明付き宝飾箱のＬＥＤをフレキシブルチューブの先端に設けた外観図である。フレキシブルチューブはステンレスの細管をコルゲート加工した物が丈夫で長持ちするので、内部にＬＥＤへの配線を仕込み先端にＬＥＤを接着などの方法で設け照明角度を自由に変えて宝飾品の種別や照明輝度に応じて照明効果を得ることはできる。【００１３】  図６、図７、図８は、本発明の実施の形態のＬＥＤ照明付き宝飾箱に花や人形等のプレゼント商品を納めた外観図でボール紙等をトムソン加工により打ち抜き加工し組み合わせ、この箱の内部にメッセージカードを利用したスイッチを特徴とする照明装置及び録音装置を備える。メッセージカードを抜き取る場合、若しくは差し込んだ場合にスイッチが入り箱の内部に取り付けたＬＥＤ照明装置により内部が照明されプレゼント商品を照明しその効果を高める。また、録音装置を備えた場合には同時に録音した音楽やメッセージを再生することができプレゼントメッセージが効果的に演出できる。この装置の構造や機能は宝飾箱と同様に作動する。【００１４】  図９は、本発明の実施の形態のＬＥＤ照明付き宝飾箱のＬＥＤ照明を音楽に合わせて輝度を変化させ閃光作動するようにしたブロック図である。図１０は本発明の実施の形態のＬＥＤ照明付き宝飾箱回路構成の音楽に合わせた照明の周波数分割図である。ここで音楽に合わせてとは、音楽のリズム（音の強いところでより明るく光らせる）、音程（音の周波数の高低を光の周波数の高低（赤よりは黄、黄よりは緑、緑より青が高い）に合わせる。また、一般人では音楽のリズム（音の強いところでより明るく光らせる）は守る必要があるが、音程と光の周波数の関係には意識は及ばないので照明輝度及び色彩は見映えのする任意の色に合わせてもよい。
音の強いところでより明るく光らせるには音楽を増幅して電圧の振幅をＬＥＤの順電圧より大きくして電流制限抵抗とＬＥＤを直列接続すればよい。音の周波数の高低を光の周波数の高低に対応させるには音響機器に使われる音のスペクトラムアナライザーＩＣを使用しＩＣの出力にＬＥＤを接続するが、その発光色を例えば、周波数分割図のように粗く分割するか、あるいは更に細かく音階に合わせる場合にはドを赤、レを橙、ミを黄、ファを黄緑、ソを緑、ラを青緑、シを青、以下繰り返しというようにする。【００１５】  宝石の種類と見映えのするＬＥＤの発光色との関係を説明する。ダイヤモンドは白色ＬＥＤ、エメラルド、ルビー、サファイヤ等の色物宝石も基準照明色は白色ＬＥＤが宝石の持つ特徴を生かせるものであり、品質が高度のものこそ白色ＬＥＤの効果が高く、品質が劣るものの場合は黄色ＬＥＤ照明をカクテル採光すると照明効果が高い。また、宝石とＬＥＤの発光色を合わせた照明方法を用いても良い。照明は単一方向からでなく複数の方向及び高さの変化を構成して照明することで宝石のカットによる光の屈折効果により煌く効果を得ることができる。
宝石を宝飾箱に固定するのに指型のアクリル樹脂性の造形物に宝石を取り付ける場合の装飾方法もあるが、単にアクリル樹脂の成型品に照明する場合も効果は期待できるがアクリル樹脂の背面部分にカービング加工によりスリットを設けた成形台を製作しカービングスリットにＬＥＤ照明をあてて照明させることでスリット内部を光が直進する性質と細かい凹凸に光が乱反射し宝石の裏面から宝石の金属台座のスケルトン部分から照明効果により宝石に屈折光が入り複雑な輝度を得ることができる。高級品の宝石ほど台座がスケルトンになっており照明効果を期待できる。
また、真珠など表面が微細な凹凸を持ち、その光沢感を楽しむ宝飾品は、有機ＥＬ照明手段等面発光できるものを備えるか、ＬＥＤを乳白色板で覆い面発光の効果が得られる照明光を照射することで光沢が映える。色調はその宝飾品に合わせ均一の色調及びできるだけ広範囲、宝飾品から見て立体角が広角度から均一の照度で照明すると効果が高まる。有機ＥＬ照明手段は図示しないＣＰＵで制御することによりその照明光の明るさ、色調、音楽に合わせてこれらを変化させることもできる。
さらに面発光照明手段、アクリル造形物からの間接光，ＬＥＤからの直接光は自由に組み合わせてその照明効果が高められる。
【図面の簡単な説明】
【００１６】
【図１】本発明の実施の形態のＬＥＤ照明付き宝飾箱の外観図で指輪を入れた図である。
【図２】本発明の実施の形態のＬＥＤ照明付き宝飾箱の回路図である。
【図３】本発明の実施の形態のＬＥＤ照明付き宝飾箱の外観図で時計を入れた場合である。
【図４】本発明の実施の形態のＬＥＤ照明付き宝飾箱の回路図である。
【図５】本発明の実施の形態のＬＥＤ照明付き宝飾箱チューブ式照明概観図である。
【図６】本発明の実施の形態のＬＥＤ照明付きＢＯＸに人形を納めた外観図である。
【図７】本発明の実施の形態のＬＥＤ照明付きＢＯＸにフラワーを納めた外観図である。
【図８】本発明の実施の形態のＬＥＤ照明カードスイッチの構成外観図である。
【図９】本発明の実施の形態のＬＥＤ照明付き宝飾箱のブロック構成図である。
【図１０】本発明の実施の形態のＬＥＤ照明付き宝飾箱回路構成の音楽に合わせた照明の周波数分割図である。
【図１】
2008279227.tif 000003
【図２】
2008279227.tif 000004
【図３】
2008279227.tif 000005
【図４】
2008279227.tif 000006
【図５】
2008279227.tif 000007
【図６】
2008279227.tif 000008
【図７】
2008279227.tif 000009
【図８】
2008279227.tif 000010
【図９】
2008279227.tif 000011
【図１０】
2008279227.tif 000012